(57)【特許請求の範囲】
【請求項１】
外側固定接点と中央固定接点が上面に露出状態にインサート成形固定され、この各固定接点から夫々外方に接続用端子が導出された絶縁樹脂製のスイッチケースと、外周部が上記外側固定接点上に載置されて、その外周部に繋がった中央の舌片部が上記中央固定接点と所定の絶縁間隔をあけて対向配置された弾性金属薄板製の可動接点と、上方が棒状部で、下方が開口した薄肉の円錐形部となって、その薄肉の円錐形部の下端で上記可動接点の外周部を上方から押さえ込むようにして配されると共に、上記円錐形部の内側部分に、上記可動接点の舌片部を押圧するための垂下部を有する弾性材料製の弾性体と、この弾性体の上方の棒状部を中孔から突出させて上記スイッチケースに固定された連結体と、上記弾性体の上に載置され、上記連結体でカイドされて上下動可能に係合した操作体とからなり、上記弾性体の棒状部の中間部分に段部を設け、その段部から上方に第一変形部を設けると共に、上記操作体は、上面中央に設けた中央孔から上記第一変形部を上方に突出させて、上記中央孔の周縁下面で上記段部上を保持しており、上記弾性体に上方から押下力が加えられると、まず上記第一変形部が弾性変形し、次に上記薄肉の円錐形部が第二変形部となって弾性変形して、上記垂下部で上記可動接点の舌片部を押圧するプッシュオンスイッチ。
【発明の詳細な説明】
【０００１】
【発明の属する技術分野】
本発明は、各種電子機器に使用される小形で操作ストロークの長いプッシュオンスイッチに関するものである。
【０００２】
【従来の技術】
近年、電子機器の小形、高品位化に伴って、使用されるプッシュオンスイッチ等の電子部品においても、小形、薄形でかつ操作感触が良いものが好まれて使用され、前述のプッシュオンスイッチとしては、長い操作ストロークのものへの要望が高まっている。
【０００３】
このような従来のプッシュオンスイッチとしては、特開平３−２１４５１９号公報に開示されたものが知られており、その構成について図１４〜図１５を用いて説明する。
【０００４】
図１４は、上記従来のプッシュオンスイッチを示す正面断面図であり、同図において、１は成形樹脂製箱形のスイッチケースで、その内底面には接続端子２Ａと連結して二ヶ所に配された外側固定接点２および、接続端子３Ａと連結した中央固定接点３がインサート成形により固定され、二ヶ所の外側固定接点２の上には弾性金属薄板製の可動接点４が載せられている。
【０００５】
この可動接点４は、弾性金属薄板製で、リング状に形成された外周部４Ｃと、この外周部４Ｃから中央部分に延出された舌片部４Ａを備えたものとなっており、この舌片部４Ａは、外周部４Ｃとの連結部４Ｂで上方に傾斜をもって折り曲げられている。
【０００６】
そして、この可動接点４の外周部４Ｃが上記外側固定接点２上に載せられて電気的に接触し、この状態で中央の舌片部４Ａは上記中央固定接点３と対向してスイッチ接点を構成している。
【０００７】
そして、６はゴム等の弾性材料からなり上部に柱状の棒状部６Ｂを有し、下部が下方開口の薄肉の円錐形部６Ｄとなった弾性体で、この薄肉の円錐形部６Ｄの内側中央部から下方に突出した垂下部６Ｃが、可動接点４の舌片部４Ａと所定間隔をあけて対向するようにして、薄肉の円錐形部６Ｄの外周下端部６Ａが上記可動接点４の外周部４Ｃ上面に載置されている。
【０００８】
また、その上部の棒状部６Ｂ上には、操作体７が載せられており、この操作体７の下部７Ａ外周が上記スイッチケース１の壁部１Ａ内周により規制されることによって操作体７は傾かないで上下動可能となっている。
【０００９】
さらに、この操作体７は、外周二ヶ所に設けられた突起７Ｂがスイッチケース１の壁部１Ａの内周に設けられた上下溝１Ｂに係合されて回り止めおよび上方への抜け止めがなされていると共に、スイッチケース１から上方に突出した突出部７Ｃが操作部となっている。
【００１０】
従来のプッシュオンスイッチ５は、以上のように構成されている。
【００１１】
次に、このプッシュオンスイッチ５の動作について説明する。
【００１２】
図１４に示すスイッチのＯＦＦ状態から操作体７の突出部７Ｃを押圧操作すると、操作体７がスイッチケース１内の弾性体６を下方に押し下げ、弾性体６の円錐形部６Ｄを座屈変形させ、その変形時に軽快なクリック感を発生させる。
【００１３】
そして、これと同時に、弾性体６の垂下部６Ｃが可動接点４の中央の舌片部４Ａを押し下げ、舌片部４Ａの下面を中央固定接点３に当接させて外側固定接点２と中央固定接点３の間すなわち二つの接続端子２Ａ，３Ａの間が導通されるものである。
【００１４】
この後、操作体７への押し力を除くと、弾性体６および可動接点４は各々自らの弾性復元力によって元の状態に復帰し、二つの接続端子２Ａ，３Ａの間は再びオープン状態となるものである。
【００１５】
次に、このプッシュオンスイッチ５を電子機器等に装着した状態について説明する。
【００１６】
図１５は従来のプッシュオンスイッチを電子機器に装着した状態を示す正面図であり、同図に示すように、このプッシュオンスイッチ５は、それぞれの接続端子２Ａと３Ａが下面ではんだ付けなどによって電気的に接続されて配線基板８上に配され、使用機器の筐体１０に取り付けられた操作ボタン９の直下に操作体７の位置を合わせて配される。
【００１７】
この時の操作ボタン９下面と配線基板８上面の間の間隔は、プッシュオンスイッチ５の高さに合わせて設定されるものであった。
【００１８】
【発明が解決しようとする課題】
しかしながら上記従来のプッシュオンスイッチ５においては、使用される電子機器の構成部品やその組み合わせのバラツキ、およびプッシュオンスイッチ５の装着状態によって、操作ボタン９下面と配線基板８上面との間で構成される間隔をプッシュオンスイッチ５の高さと同じ間隔にすることが難しく、上記間隔が広くなった場合は、操作ボタン９とプッシュオンスイッチ５の上面との間に隙間が発生し操作ボタン９のガタツキが発生するという課題があった。
【００１９】
また、逆に上記間隔が狭くなった場合は、操作ボタン９がプッシュオンスイッチ５の操作体７を少し押し込んだ状態となってしまうため、プッシュオンスイッチ５の操作感触が劣化するという課題もあった。
【００２０】
本発明は、このような従来の課題を解決するものであり、電子機器の構成部品やその組合わせのバラツキなどを吸収することができて、使用される電子機器の操作ボタンのガタツキが発生せず、良好な操作感触が維持できるプッシュオンスイッチを提供することを目的とする。
【００２１】
【課題を解決するための手段】
上記目的を達成するために本発明は、以下の構成を有するものである。
【００２２】
本発明の請求項１に記載の発明は、外側固定接点と中央固定接点が上面に露出状態にインサート成形固定され、この各固定接点から夫々外方に接続用端子が導出された絶縁樹脂製のスイッチケースと、外周部が上記外側固定接点上に載置されて、その外周部に繋がった中央の舌片部が上記中央固定接点と所定の絶縁間隔をあけて対向配置された弾性金属薄板製の可動接点と、上方が棒状部で、下方が開口した薄肉の円錐形部となって、その薄肉の円錐形部の下端で上記可動接点の外周部を上方から押さえ込むようにして配されると共に、上記円錐形部の内側部分に、上記可動接点の舌片部を押圧するための垂下部を有する弾性材料製の弾性体と、この弾性体の上方の棒状部を中孔から突出させて上記スイッチケースに固定された連結体と、上記弾性体の上に載置され、上記連結体でカイドされて上下動可能に係合した操作体とからなり、上記弾性体の棒状部の中間部分に段部を設け、その段部から上方に第一変形部を設けると共に、上記操作体は、上面中央に設けた中央孔から上記第一変形部を上方に突出させて、上記中央孔の周縁下面で上記段部上を保持しており、上記弾性体に上方から押下力が加えられると、まず上記第一変形部が弾性変形し、次に上記薄肉の円錐形部が第二変形部となって弾性変形して、上記垂下部で上記可動接点の舌片部を押圧するプッシュオンスイッチであり、上記第一変形部によって所定の操作量までを吸収させることができるため、電子機器の操作ボタンを上記第一変形部が若干変形した状態にして組み合わせることができ、これにより機器の構成部品の組合わせなどによって発生する寸法のバラツキなどを吸収して操作ボタンのガタツキを防止させるようにできると共に、プッシュオンスイッチを常に操作感触が安定した状態で操作可能にでき、さらにこのプッシュオンスイッチを電子機器等に装着した際に、弾性体の第一変形部が緩衝機能としても働くために、その電子機器の操作ボタンとプッシュオンスイッチの操作体間で発生する衝突時の異音の発生をなくすことができるという作用を有する。
【００２６】
【発明の実施の形態】
以下、本発明の実施の形態について、図１〜図１３を用いて説明する。
【００２７】
（実施の形態１）
実施の形態１について、以下に説明する。
【００２８】
図１は本発明の第１の実施の形態によるプッシュオンスイッチの正面断面図、図２は同分解斜視図である。
【００２９】
同図において、１１は樹脂製箱形のスイッチケースで、その内底面１１Ｂには、中央固定接点１２とこれを挟んで対称な位置に配された二つの外側固定接点１３がほぼ同一高さで露出状態にインサート成形固定され、それぞれの固定接点１２，１３と導通した接続用端子１２Ａ，１３Ａは側壁外方に導出されている。
【００３０】
そして、このスイッチケース１１上面には柱状のカシメ用突起１１Ａが設けられている。
【００３１】
そして、１４は弾性金属薄板からなる可動接点で、円形リング状の外周部１４Ａ中央に設けられた舌片部１４Ｂが連結部１４Ｃを介して繋がった形状になっており、その舌片部１４Ｂは、連結部１４Ｃから上方に傾斜をもって折り曲げられている。
【００３２】
この可動接点１４は、外周部１４Ａが上記スイッチケース１１の外側固定接点１３上に載置されると共に、この状態で舌片部１４Ｂは所定の間隔をあけて中央固定接点１２と対向している。
【００３３】
そして、１５は弾性絶縁材料からなる弾性体で、上方の棒状部１５Ｃの下部に一体に形成された下方開口の薄肉の円錐形部から構成され、その棒状部１５Ｃの上面中央には直線状の溝が設けられて残部が第一変形部１５Ｅとして機能するものに構成されている。
【００３４】
そして、上記棒状部１５Ｃ下部に配された円錐形部は、第二変形部１５Ａとして機能するものとなっている。
【００３５】
この第二変形部１５Ａとしての円錐形部は、内側部分に下方に突出した垂下部１５Ｄを有している。
【００３６】
上記構成の弾性体１５は、上記円錐形部の下端部１５Ｂが上記可動接点１４の外周部１４Ａ上に載せられて、上記可動接点１４を、その下方の外側固定接点１３に対して電気的に導通状態にさせている。
【００３７】
なお、上記棒状部１５Ｃ上部に構成された第一変形部１５Ｅは、弾性体１５を下方に押し下げて変形させる時に、まず第一変形部１５Ｅが弾性圧縮変形し、次に薄肉の円錐形部である第二変形部１５Ａが座屈変形するように、すなわち第一変形部１５Ｅの変形強度は第二変形部１５Ａの変形強度より弱くなるように、溝の幅および深さが設定されている。
【００３８】
そして、１６は、下方開放の箱形で上面中央に中央孔１６Ａを備えたカバーであり、その下方の鍔状となった面に設けられたカシメ用孔１６Ｂにスイッチケース１１上面のカシメ用突起１１Ａが挿入され、そのカシメ用突起１１Ａ上部が潰してカシメられることによりスイッチケース１１に固定されている。
【００３９】
そして、上記カバー１６の固定状態で、弾性体１５の棒状部１５Ｃは、中央孔１６Ａから上方に突出していると共に、弾性体１５の下端部１５Ｂ上面はカバー１６の下端面で弾接状態に押さえ込まれており、この弾接力で可動接点１４の外周部１４Ａの下面と外側固定接点１３との安定した電気的な導通状態を維持させている。
【００４０】
また、上記弾接力により、弾性体１５は、回転せず、しかも、上方へ抜けないように保持されている。
【００４１】
本実施の形態によるプッシュオンスイッチは以上のように構成されるものであり、次に、このプッシュオンスイッチの動作について説明する。
【００４２】
まず、図１に示すスイッチＯＦＦの状態において、弾性体１５を上方から押圧操作すると、弾性体１５の上部の第一変形部１５Ｅのみが図３に示すように弾性変形する。
【００４３】
この変形の状態が、操作距離と操作力の関係を表す図５中の第一変形量部分に相当し、第一変形部１５Ｅが変形した後、さらに押圧力が加わると次に弾性体１５の薄肉の円錐形部となった第二変形部１５Ａが座屈変形して、クリック感を発生させる。
【００４４】
そして、第二変形部１５Ａ内側の垂下部１５Ｄの下端面が可動接点１４の舌片部１４Ｂを下方に押してスイッチケース１１底面の中央固定接点１２に接触させることにより、中央固定接点１２と外側固定接点１３の間すなわち接続用端子１２Ａ，１３Ａの間が導通され、図４に示すスイッチＯＮの状態となる。
【００４５】
ここで、薄肉の円錐形部となった第二変形部１５Ａの変形の始まりからスイッチがＯＮの状態になるまでが図５に示す第二変形量部分に相当する。
【００４６】
この後、弾性体１５に加える押し力を除くと、弾性体１５および可動接点１４各々が自らの弾性復元力によって元の形状である図１の状態に復帰し、スイッチＯＦＦの状態に戻る。
【００４７】
次に、このプッシュオンスイッチの接着状態について説明する。
【００４８】
図６は、本実施の形態によるプッシュオンスイッチを電子機器に装着した状態を示す断面図であり、同図に示すように、本プッシュオンスイッチは、スイッチがＯＦＦの状態で、電子機器の筐体１８に取り付けられた操作ボタン１９の直下に弾性体１５が位置するよう配されて用いられる。
【００４９】
この時、本プッシュオンスイッチが装着された配線基板１７上面と操作ボタン１９下面までのスイッチ装着用間隔は、電子機器の構成部品の仕上がり寸法や組み合わせ状態によってバラツキのあるものとなるが、本実施の形態によるものにおいて上記スイッチ装着用間隔は、プッシュオンスイッチの高さに対して若干小さい寸法になるように設定されてある。
【００５０】
そして、同図に示すように、本プッシュオンスイッチは、操作ボタン１９下面に当接している弾性体１５上部の第一変形部１５Ｅのみが、変形した状態で装着状態となっている。
【００５１】
すなわち、この様な寸法関係で装着状態とすることにより、弾性体１５の棒状部１５Ｃ上面に設けた第一変形部１５Ｅで、上記スイッチ装着用間隔の変動範囲を変形吸収して、電子機器の操作ボタン１９のガタツキをなくすことができる。
【００５２】
このとき、弾性体１５の第一変形部１５Ｅの最大変形寸法よりも小さい範囲内でスイッチ装着用間隔を設定しておくことにより、弾性体１５の円錐形部である第二変形部１５Ａが変形することはなく、弾性体１５の押し込み過ぎによるプッシュオンスイッチの操作感触への影響も防ぐことができる。
【００５３】
以上のように本実施の形態によれば、電子機器の構成部品やその組み合わせのバラツキなどを吸収するように装着できて操作ボタン１９のガタツキが発生せず、しかも良好な動作感触が維持できるプッシュオンスイッチにできるものである。
【００５４】
なお、上記スイッチ装着用間隔としては、配線基板１７に対するプッシュオンスイッチの実装状態も加味して、その間隔を適宜設定することが重要である。
【００５５】
なお、以上の説明においては、プッシュオンスイッチの第一変形部１５Ｅを、弾性体１５の棒状部１５Ｃの上面中央に直線状の溝を設けた残部で構成したもので説明したが、これは、図７（ａ）〜図７（ｊ）に示すものであってもよい。
【００５６】
つまり、図７（ａ）に示す直線状の凸形状１５ｄや、同図（ｂ）の直線の凸形状１５ｄ部分の中央が円形凸部１５ｅとなったもの、同図（ｂ）の逆の凹形状１５ｆである同図（ｃ）、さらにはリング状の突起形状１５ｇの同図（ｄ）、中央部のみが円形凸部１５ｈとなった同図（ｅ）、中心に対して対称な十字状の凸形状１５ｉである同図（ｆ）、その逆の十字状の凹形状１５ｊの同図（ｇ）、十字状と円形を重ね合わせた凸形状１５ｋとした同図（ｈ）、その逆の凹形状１５ｌとした同図（ｉ）、また棒状部が上方に向かうにつれて同心的に小径となった略尖形１５ｍの同図（ｊ）などである。
【００５７】
また、更にこれらを組み合わせたものとしてよく、第一変形部が所望の変形量を確保し、かつ第二変形部より弱い力で弾性変形する形状であれば良い。
【００５８】
（実施の形態２）
実施の形態２について、以下に説明する。
【００５９】
図８は本発明の第２の実施の形態によるプッシュオンスイッチの正面断面図、図９は、同分解斜視図である。
【００６０】
同図において、２１は絶縁樹脂製方形のスイッチケースで、中央凹部の内底面には中央固定接点２２とこれを挟んで対称な位置に配された二つの外側固定接点２３がほぼ同一高さで露出状態にインサート成形固定され、それぞれの固定接点２２，２３と導通した接続用端子２２Ａ，２３Ａは側壁外方に導出されており、またその上面角部には柱状のカシメ用突起２１Ａが設けられている。
【００６１】
そして、２４は、実施の形態１によるものの構成部品として説明した可動接点１４と同形状の弾性金属薄板からなる可動接点で、円形リング状の外周部２４Ａが上記スイッチケース２１の外側固定接点２３上に載置されて配されると共に、その状態で連結部２４Ｃから上方に折り曲げられて外周部２４Ａの中央に設けられた舌片部２４Ｂは、中央固定接点２２と所定の間隔をあけて対向している。
【００６２】
また、２５は、弾性絶縁材料からなる弾性体で、上方の棒状部２５Ｃの下部に一体に形成された下方開口の薄肉の円錐形部から構成されている。
【００６３】
そして、この弾性体２５は、棒状部２５Ｃの中間位置に段部２５Ｆを有し、この段部２５Ｆを境として、その上部が上記棒状部２５Ｃの外形よりも一回り小さい円形凸状となっている。
【００６４】
つまり、この円形凸状の部分が第一変形部２５Ｅとして機能すると共に、棒状部２５Ｃの下部の円錐形部は第二変形部２５Ａとして機能するものとなっている。
【００６５】
このとき、上記棒状部２５Ｃ上方の第一変形部２５Ｅは、弾性体２５が下方に押し下げられて変形する時に、まず第一変形部２５Ｅが弾性圧縮変形し、次に薄肉の円錐形部である第二変形部２５Ａが座屈変形するように、つまり第一変形部２５Ｅの変形強度が第二変形部２５Ａの変形強度より弱くなるように、その円形凸状の直径及び高さに構成されている。
【００６６】
そして、この弾性体２５は、円錐形部の内側部分に垂下部２５Ｄを有していること、また円錐形部の下端部２５Ｂが上記可動接点２４の外周部２４Ａ上に載せられて配されていること、さらにその配置状態で上記垂下部２５Ｄは、可動接点２４の舌片部２４Ｂに所定間隔を空けて対向していることは実施の形態１によるものの場合と同じである。
【００６７】
そして、２６は、上面中央に中央孔２６Ｃを有した下方開口の箱形で樹脂からなる操作体で、側壁部２６Ｂ外方に所定幅で上下方向に凸形状で形成された係合部２６Ｄを二箇所、中央孔２６Ｃ中心からの対称位置に有すると共に、上記係合部２６Ｄと直交した位置の側壁部２６Ｂ下端に抜け止め用の係止爪部２６Ａが設けられている。
【００６８】
この操作体２６は、上面中央の中央孔２６Ｃから上方に上記弾性体２５の第一変形部２５Ｅを突出状態に挿通させて上記弾性体２５の上に載置され、その中央孔２６Ｃの周縁下面２６Ｅにより、上記弾性体２５の棒状部２５Ｃの段部２５Ｆ上を押さえ込んでいる。
【００６９】
なお、この操作体２６の中央孔２６Ｃの大きさは、弾性体２５の第一変形部２５Ｅを上記操作体２６上面と同一平面となる位置まで弾性圧縮しても中央孔２６Ｃの内周壁に接触しない大きさで設けてある。
【００７０】
そして、２７は、略筒状の樹脂製の連結体であり、中孔２７Ａから操作体２６上部を上方に突出状態にして、下方のカシメ用切り欠き部２７Ｂがスイッチケース２１の上面角部のカシメ用突起２１Ａにカシメ固定されてスイッチケース２１に取り付けられている。
【００７１】
この連結体２７は、操作体２６の側壁部２６Ｂに設けられた凸形状の係合部２６Ｄに対応する上下方向に貫通した溝部２７Ｃを内壁部に備え、その溝部２７Ｃに係合部２６Ｄがガタツキを生じないように係合されることによって操作体２６はスムーズに上下動可能に案内され、かつ図８に示す押し力の加わっていない通常状態で、操作体２６の係止爪部２６Ａは、中孔２７Ａ周囲の天面部下面で係止して操作体２６は抜け止めされている。
【００７２】
なお、上記溝部２７Ｃと係合部２６Ｄとの係合部分は、断面方向が異なるため、図８などの断面図においては図示を省略している。
【００７３】
そして、その連結体２７の係止爪部２６Ａから下方の側壁部分は、側面方向に向かって形成された凹部２７Ｄとなっており、上記操作体２６の下方への移動の際に、係止爪部２６Ａは支障なく移動可能であると共に、その凹部２７Ｄの側部でも係止爪部２６Ａの側部がガイドされつつ移動するようになっている。
【００７４】
すなわち、操作体２６は、係合部２６Ｄおよび係止爪部２６Ａに対し、溝部２７Ｃおよび凹部２７Ｄで、上下動方向への移動規制がなされると共に、操作体２６の回転や上方への抜けを防止されている。
【００７５】
本実施の形態によるプッシュオンスイッチは、以上のように構成されるものであり、次にその動作について説明する。
【００７６】
図８における押圧力が加わっていない通常状態から、操作体２６の中央孔２６Ｃよりも大きい電子機器等の操作ボタン（図示せず）で、操作体２６上面から突出している弾性体２５の第一変形部２５Ｅに押し力を加えて押圧操作すると、図１０に示すように、まず、操作体２６の上面に押しボタンが当接するまで第一変形部２５Ｅが弾性圧縮変形する。
【００７７】
この時の変形量が、図５に示す第一変形量に相当するものである。
【００７８】
さらに押圧操作していくと、操作ボタンにより操作体２６が押されるようになり、操作体２６は係合部２６Ｄおよび係止爪部２６Ａが、溝部２７Ｃおよび凹部２７Ｄ側部でガイドされつつ真っ直ぐに下方へ動くと共に、その中央孔２６Ｃの周縁下面２６Ｅが弾性体２５の棒状部２５Ｃの段部２５Ｆに下方への押し下げ力を加える。
【００７９】
そして、その段部２５Ｆへの押し下げ力が所定の値を超えると、弾性体２５の薄肉の円錐形部となった第二変形部２５Ａが座屈変形して、クリック感を発生させると同時に、その内側部分の垂下部２５Ｄの下端面が可動接点２４の舌片部２４Ｂを下方に押してスイッチケース２１上の中央固定接点２２に接触させて、中央固定接点２２と外側固定接点２３の間、すなわち接続用端子２２Ａと２３Ａの間が導通して、図１１に示すスイッチＯＮの状態となる。
【００８０】
上記の説明の中で、第二変形部２５Ａの変形が始まりスイッチがＯＮするまでが図５の第二変形量に相当する。
【００８１】
本実施の形態によるものは上記のように構成されるものであり、その装着時には、上記第１の実施の形態に説明した内容と同様に、電子機器の構成部品の仕上がり寸法や組み合わせによるバラツキの範囲などを考慮して、弾性体２５の第一変形部２５Ｅのみが若干変形し、かつ操作体２６に対しては電子機器の操作ボタンが所定の隙間を維持した状態で装着状態とすることにより、その操作ボタンのガタツキなどをなくすことができる。
【００８２】
また、第一変形部２５Ｅは、弾性体２５の円錐形部である第二変形部２５Ａよりも小さい力で変形するように構成されているため、本プッシュオンスイッチにおいても操作時には常に所望の操作感触が得られる装着状態にできるものである。
【００８３】
以上のように本実施の形態によるものも、実施の形態１によるものと同様に電子機器の構成部品やその組み合わせのバラツキなどを吸収した装着状態にできて、操作ボタンのガタツキが発生せず、良好な動作感触が維持できるものである。
【００８４】
さらに、電子機器等の操作ボタンがヒンジ形態などで構成され、斜めに押圧操作されたとしても、本実施の形態によるものは操作体２６が連結体２７にガイドされつつ常時スムーズに上下動可能に構成されたものであるため、上記の場合を含んで操作時に良好な感触が安定して得られるものにできる。
【００８５】
なお、本実施の形態では、弾性体２５の第一変形部２５Ｅが操作体２６の中央孔２６Ｃから上方に突出したものを説明したが、図１２の断面図に示すように、弾性体２８の上面を操作体２９で覆ったものとしても良い。
【００８６】
この場合にも、第一変形部２８Ａのみを少し撓ませた状態で装着状態にできるが、操作時の消音対策を施して使用することが好ましい。
【００８７】
そして、上記本実施の形態によるプッシュオンスイッチは、図１３の電子機器に装着した状態を示す正面図のように、ビデオカメラなどのズーム操作部分の望遠撮影と広角撮影の操作部分に用いることができる。
【００８８】
この場合は、プッシュオンスイッチを二つ並べて配線基板３０の表面に、はんだ付けなどで取り付け、その上方に、上記プッシュオンスイッチを押圧操作するためのシーソー式の動作をする操作ボタン３１を電子機器の筐体３２に装着したものとすればよい。
【００８９】
このような使われ方の場合、望遠撮影から広角撮影または広角撮影から望遠撮影へ操作を切り替える際に、操作ボタン３１下面がプッシュオンスイッチの操作面と衝突し、その衝突音が映像と共に録音されるなどの課題が生じることが多いが、図８に示す本実施の形態によるプッシュオンスイッチは、弾性体２５の上部の第一変形部２５Ｅが操作体２６上部に突出しているため、撮影画像の切換操作を行っても操作ボタン３１の下面は、上記弾性体２５の第一変形部２５Ｅに衝突して第一変形部２５Ｅが緩衝材の働きをすることになり衝突音の発生などがなく、また操作ボタン３１が斜めに各プッシュオンスイッチを押圧しても、本実施の形態によるものは操作体２６がスムーズに上下動動作するものであるため、良好な操作性のものにできる。
【００９０】
このように、本実施の形態によるものは、プッシュオンスイッチ上面や操作ボタン下面へのクッション材の貼り付け処理などを行うことなく容易に衝突音の消音ができ、かつ操作性にも優れたものにできるものである。
【００９１】
【発明の効果】
以上のように本発明によれば、電子機器の構成部品やその組合わせのバラツキなどを吸収することができて、電子機器の操作ボタンのガタツキや操作ボタンとプッシュオンスイッチの操作体間で発生する衝突時の異音が発生せず、良好な操作感触が維持できるプッシュオンスイッチを提供できるという有利な効果が得られる。
【図面の簡単な説明】
【図１】本発明の第１の実施の形態によるプッシュオンスイッチの正面断面図
【図２】同分解斜視図
【図３】同動作状態を説明する正面断面図
【図４】同動作状態を説明する正面断面図
【図５】同操作距離と操作力の関係を表す図
【図６】同電子機器に装着した状態を示す断面図
【図７】同弾性体の棒状部に設ける第一変形部のその他の形状を示す部分外観斜視図
【図８】本発明の第２の実施の形態によるプッシュオンスイッチの正面断面図
【図９】同分解斜視図
【図１０】同動作状態を説明する正面断面図
【図１１】同動作状態を説明する正面断面図
【図１２】同他の構成のプッシュオンスイッチの正面断面図
【図１３】同電子機器に装着した状態を示す正面断面図
【図１４】従来のプッシュオンスイッチの正面断面図
【図１５】同電子機器に装着した状態を示す正面図
【符号の説明】
１１，２１  スイッチケース
１１Ａ，２１Ａ  カシメ用突起
１１Ｂ  内底面
１２，２２  中央固定接点
１２Ａ，１３Ａ，２２Ａ，２３Ａ  接続用端子
１３，２３  外側固定接点
１４，２４  可動接点
１４Ａ，２４Ａ  外周部
１４Ｂ，２４Ｂ  舌片部
１４Ｃ，２４Ｃ  連結部
１５，２５，２８  弾性体
１５Ａ，２５Ａ  第二変形部
１５Ｂ，２５Ｂ  下端部
１５Ｃ，２５Ｃ  棒状部
１５Ｄ，２５Ｄ  垂下部
１５Ｅ，２５Ｅ，２８Ａ  第一変形部
１６  カバー
１６Ａ  中央孔
１６Ｂ  カシメ用孔
１７，３０  配線基板
１８，３２  筐体
１９，３１  操作ボタン
２５Ｆ  段部
２６，２９  操作体
２６Ａ  係止爪部
２６Ｂ  側壁部
２６Ｃ  中央孔
２６Ｄ  係合部
２６Ｅ  周縁下面
２７  連結体
２７Ａ  中孔
２７Ｂ  カシメ用切り欠き部
２７Ｃ  溝部
２７Ｄ  凹部
【図１】
0004039030.tif 000002
【図２】
0004039030.tif 000003
【図３】
0004039030.tif 000004
【図４】
0004039030.tif 000005
【図５】
0004039030.tif 000006
【図６】
0004039030.tif 000007
【図７】
0004039030.tif 000008
【図８】
0004039030.tif 000009
【図９】
0004039030.tif 000010
【図１０】
0004039030.tif 000011
【図１１】
0004039030.tif 000012
【図１２】
0004039030.tif 000013
【図１３】
0004039030.tif 000014
【図１４】
0004039030.tif 000015
【図１５】
0004039030.tif 000016